(57)【要約】【課題】  筐体に必要な配線用穴や換気穴の形成に伴うコストアップを回避し、また、それらの配線用穴や換気穴の設計変更の自由度を高める。【解決手段】  ＣＡＴＶ用増幅器（１）は、金属性素材で一体成型された本体部（２）と、その本体部の開口面を覆う金属性の蓋部（３）とによって構成された筐体を有する。本体部（２）は、底面プレート（１２）の一辺に立設された第一立壁（１３）と、この第一立壁に連続すると共に、その底面プレートの前記一辺と交差する二つの辺の一部に立設された第二及び第三立壁（１４、１５）と、この第二及び第三立壁に連続して、その底面プレートの面上に形成された凹状開口部（１６）とを一体成形したものであり、且つ、前記凹状開口部を電磁遮蔽効果を有する仕切り板（１７）で着脱可能に閉鎖する。【選択図】  図２
2006147981.tif 000002
【特許請求の範囲】
【請求項１】
金属性素材で一体成型された本体部と、その本体部の開口面を覆う金属性の蓋部とによって構成された筐体を有するＣＡＴＶ用増幅器であって、
前記本体部は、
底面プレートの一辺に立設された第一立壁と、
この第一立壁に連続すると共に、その底面プレートの前記一辺と交差する二つの辺の一部に立設された第二及び第三立壁と、
この第二及び第三立壁に連続して、その底面プレートの面上に形成された凹状開口部とを一体成形したものであり、
且つ、前記凹状開口部を電磁遮蔽効果を有する仕切り板で着脱可能に閉鎖したことを特徴とするＣＡＴＶ用増幅器。
【請求項２】
金属性素材で一体成型された本体部と、その本体部の開口面を覆う金属性の蓋部とによって構成された筐体を有するＣＡＴＶ用増幅器であって、
前記本体部は、底面プレートの一辺に立設された第一立壁と、この第一立壁に連続すると共に、その底面プレートの前記一辺と交差する二つの辺の一部に立設された第二及び第三立壁とを一体成形したものであり、
且つ、第二立壁と第三立壁との間に位置して前記第一立壁に対向する開口面を電磁遮蔽効果を有する仕切り板で着脱可能に閉鎖したことを特徴とするＣＡＴＶ用増幅器。
【請求項３】
前記仕切り板は、多数の空気穴や所要数の電源配線用穴を任意の位置に形成したものであることを特徴とする請求項１又は２記載のＣＡＴＶ用増幅器。
【請求項４】
前記仕切り板は、前記筐体の内部に収容される増幅部や電源部に適合した空気穴及び電源配線用穴を有することを特徴とする請求項１又は２記載のＣＡＴＶ用増幅器。
【発明の詳細な説明】
【技術分野】
【０００１】
本発明は、ＣＡＴＶ用増幅器に関し、特に、筐体の内部に増幅部と電源部とを収容して構成されたＣＡＴＶ用増幅器に関する。
【背景技術】
【０００２】
“ＣＡＴＶ”（Ｃｏｍｍｕｎｉｔｙ  Ａｎｔｅｎｎａ ＴＶ）とは、センターで受信したテレビジョン放送を通信ケーブルを通して家庭等に配信するサービスのことである。当初、難視聴対策として始められたＣＡＴＶも、現在では、多チャンネルの番組サービスをはじめ、インターネットサービスや、ゲームのデーター配信サービス、さらには、カラオケ、ホームセキュリティ、ＣＡＴＶ電話など、あらゆるサービスに利用されるようになってきた。
【０００３】
ＣＡＴＶ用増幅器は、ＣＡＴＶ契約者宅（ビルやマンション等の共同受信施設又は一般住宅等）に設置される機器である。ＣＡＴＶブースタともいう。ＣＡＴＶ用増幅器は、金属性の筐体の内部に、ＣＡＴＶ信号を増幅する増幅部と、この増幅部の動作電源をまかなう電源部とを収容しており、一般に、増幅部は、電源部などからの雑音の影響を抑制するために、遮蔽板（シールド板）で覆われている。
【０００４】
ところで、上記のとおり、現在のＣＡＴＶは、テレビジョン放送だけでなく、インターネットや電話又はその他の通信にも利用されるようになってきているため、単に増幅部をシールド板で覆っただけでは、様々な信号源からの雑音の影響を完全に抑制しきれなくなってきている。
【０００５】
そこで、特許文献１に記載されているようなＣＡＴＶ用増幅器が知られている。
図６は、そのＣＡＴＶ用増幅器の筐体外観図である。この図において、筐体１００は、上面開放有底箱形状の本体部１０１と、その本体部１０１の一辺に蝶番１０２、１０３を介して開閉自在に取り付けられた蓋部１０４とによって構成されている。
【０００６】
本体部１０１には、二つの室が設けられている。一方の室は電源基板の収容室（電源部収容室１０５）であり、他方の室は増幅部基板の収容室（増幅部収容室１０６）である。電源部収容室１０５と増幅部収容室１０６の間は仕切壁１０７によって区画されており、これらの電源部収容室１０５、増幅部収容室１０６及び仕切壁１０７を有する本体部１０１は、アルミ合金等による一体成形によって作られている。また、電源部収容室１０５の外壁面には接栓取付穴１０８が形成されており、さらに、仕切壁１０７には電源配線穴１０９が形成されている。
【０００７】
このような構成によれば、電源部収容室１０５と増幅部収容室１０６とを完全に区画して両室間を電磁的に遮蔽できるので、両室間の雑音の影響はもとより、外部への雑音の影響や、外部からの雑音の影響も効果的に抑止することができる。
【０００８】
【特許文献１】特開平１０−２２４７６２号公報
【発明の開示】
【発明が解決しようとする課題】
【０００９】
ところで、一体成型の製造工程においては、金型のキャビティ（雄型金型と雌型金型の間に形成された空間）に溶融素材を流し込み、冷却固化した後に、金型から製品（ここでは本体部１０１）を取り出すため、単純な形状の製品、たとえば、電源部収容室１０５や増幅部収容室１０６及び仕切壁１０７などの製造は容易であるが、たとえば、電源部収容室１０５や増幅部収容室１０６の外壁又は仕切壁１０７への貫通穴（図示の例では接栓取付穴１０８や電源配線穴１０９）の加工は、一体成型後に行わなければならず、工程が増えてコストアップを招くという問題点がある。
【００１０】
また、上記従来例の筐体１００は、本体部１０１の内部を仕切壁１０７で区画して電源部収容室１０５と増幅部収容室１０６とを形成すると共に、その本体部１０１の開口面を蓋部１０４で閉鎖する構成となっているため、筐体１００の内部の空気の逃げ道（換気経路）がまったく無い。このため、増幅部や電源部で発生した熱は、もっぱら筐体１００を介した直接的な熱伝導によってのみ放熱されるだけであり、充分な放熱効果を得ることができない。そこで、筐体１００の外壁や仕切壁１０７に、自然放熱のための空気穴を形成することが考えられるが、かかる空気穴も、上記の貫通穴（図示の例では接栓取付穴１０８や電源配線穴１０９）と同様の理由で、一体成形後に加工する必要があるため、やはり、工程が増えてコストアップを招くという問題点がある。
【００１１】
さらに、本体部１０１の二室に収容する電源部や増幅部の構成によっては、複数種類の電源配線を必要とする場合があり、また、それらの電源配線の位置も、その電源部や増幅部の都合や配線の取り回し等により、様々な位置に変更しなければならない場合がある。このような場合、従来例のように、本体部１０１を一体成形する際に仕切壁１０７も同時に成型するものにあっては、その仕切壁１０７の構造（たとえば、電源配線穴１０９の数や位置など）が、特定の電源部や増幅部にとっては最適となるものの、他の電源部や増幅部にとっては不適切なものとなることがある。したがって、このような場合、仕切壁１０７の構造を適切なものに変更しなければならないところ、この仕切壁１０７は、本体部１０１を一体成形する際に同時に作られるものであるから、結局、本体部１０１のすべてを作り直す（金型の再設計とその金型を用いた一体成型のやり直し）こととなり、この点においても、コストアップを招くという問題点がある。
【００１２】
そこで、本発明の目的は、筐体に必要な配線用穴や換気穴の形成に伴うコストアップを回避し、また、それらの配線用穴や換気穴の設計変更の自由度を高めることにある。
【課題を解決するための手段】
【００１３】
請求項１記載の発明は、金属性素材で一体成型された本体部と、その本体部の開口面を覆う金属性の蓋部とによって構成された筐体を有するＣＡＴＶ用増幅器であって、前記本体部は、底面プレートの一辺に立設された第一立壁と、この第一立壁に連続すると共に、その底面プレートの前記一辺と交差する二つの辺の一部に立設された第二及び第三立壁と、この第二及び第三立壁に連続して、その底面プレートの面上に形成された凹状開口部とを一体成形したものであり、且つ、前記凹状開口部を電磁遮蔽効果を有する仕切り板で着脱可能に閉鎖したことを特徴とするＣＡＴＶ用増幅器である。
請求項２記載の発明は、金属性素材で一体成型された本体部と、その本体部の開口面を覆う金属性の蓋部とによって構成された筐体を有するＣＡＴＶ用増幅器であって、前記本体部は、底面プレートの一辺に立設された第一立壁と、この第一立壁に連続すると共に、その底面プレートの前記一辺と交差する二つの辺の一部に立設された第二及び第三立壁とを一体成形したものであり、且つ、第二立壁と第三立壁との間に位置して前記第一立壁に対向する開口面を電磁遮蔽効果を有する仕切り板で着脱可能に閉鎖したことを特徴とするＣＡＴＶ用増幅器である。
請求項３記載の発明は、請求項１又は２記載のＣＡＴＶ用増幅器において、前記仕切り板は、多数の空気穴や所要数の電源配線用穴を任意の位置に形成したものである。
請求項４記載の発明は、請求項１又は２記載のＣＡＴＶ用増幅器において、前記仕切り板は、前記筐体の内部に収容される増幅部や電源部に適合した空気穴及び電源配線用穴を有するものである。
【発明の効果】
【００１４】
本発明では、本体部と蓋部とからなる筐体の内部に、第一〜第三立壁及び仕切り板とによって画成された一の室と、それ以外の部分の二の室とが作られる。ここで、一方の室を増幅部収容室、他方の室を電源部収容室として使用すれば、電源部から増幅部への電源供給は、仕切り板に形成されている電源配線用穴を介して行うことができる。そして、電源部や増幅部の仕様を変えるなどして、電源配線用穴の数や形成位置の変更が必要となった場合には、仕切り板を適切なものに交換するだけで、かかる要求にスムーズに対応できる。このとき、本体部の構造は不変であり、従来技術のような金型の再設計や一体成型のやり直しは生じない。
また、放熱のための換気用の空気穴を必要とする場合も、所望の空気穴を形成した仕切り板を用意するだけでよく、この場合においても、従来技術のような金型の再設計や一体成型のやり直しは生じない。
したがって、この発明によれば、筐体に必要な配線用穴や換気穴の形成に伴うコストアップを回避し、また、それらの配線用穴や換気穴の設計変更の自由度を高めることができる。
【発明を実施するための最良の形態】
【００１５】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１６】
図１は、実施形態におけるＣＡＴＶ用増幅器の外観図である。この図において、ＣＡＴＶ用増幅器１の筐体は、アルミ合金等の金属性素材で一体成型された本体部２と、その本体部２の開口面（図では上面及び四側面）を覆う金属性の蓋部３とによって構成されている。本体部２と蓋部３は、たとえば、左右側面の各々において複数個（図では四つ）のネジ４〜７（但し、左側面のネジは隠れて見えない）で固定されている。なお、蓋部３の上面に開けられた二つの穴８、９は、増幅部基板に設けられている信号レベル調整素子の調整穴や、電源基板に設けられている電源表示ランプの確認穴などである。また、蓋部３の一つの側面（図面の左下方向の側面）には、換気のための多数の直線状の空気穴１０が開けられている。
【００１７】
図２は、本体部２及び仕切り板１７の外観図である。本体部２は、上記のとおり、アルミ合金等で一体成型されたものであり、その構造は、以下のとおりである。すなわち、下面に多数の放熱用のフィン１１を等間隔に並べた矩形状の底面プレート１２と、その底面プレート１２の一辺に立設された第一立壁１３と、この第一立壁１３に連続すると共に、その底面プレート１２の上記一辺と交差する二つの辺の一部（図では概ね２／３程度）に立設された第二及び第三立壁１４、１５と、この第二及び第三立壁１４、１５に連続して、その底面プレート１２の面上に形成された凹状開口部１６とを一体成形したものである。
【００１８】
この凹状開口部１６は、別途に作られた金属性の仕切り板１７によって着脱可能に閉鎖されるようになっている。仕切り板１７は、矩形状金属板の長手側一辺を折り曲げて断面をＬ字状にするともに、その金属板に所要の穴開け加工を施して、たとえば、多数の直線状の空気穴１７ａや、所要数の電源配線用穴１７ｂ〜１７ｅを形成したものであり、それらの空気穴１７ａや電源配線用穴１７ｂ〜１７ｅの位置及び数などは、このＣＡＴＶ用増幅器１に収容される増幅部及び電源部の構成から一義的に決定されたものである。たとえば、図示の例では、右側に偏在する４個の電源配線用穴１７ｂ〜１７ｅと、それ以外の空き部分に等間隔に配列された多数の空気穴１７ａとを形成しているが、これは、このＣＡＴＶ用増幅器１に収容される増幅部及び電源部が、そのような電源配線の引き回し位置や数並びに所要開口面積の換気穴を要求しているからである。
【００１９】
ここで、仕切り板１７の長手方向の幅を「Ｄａ」とし、仕切り板１７の短手方向の幅を「Ｄｂ」とすると、これらのＤａ、Ｄｂは、凹状開口部１６の開口幅（横方向の開口幅：Ｅａ、縦方向の開口幅：Ｅｂ）よりもそれぞれ若干大きい。一方、凹状開口部１６の両側面と底面には、仕切り板１７の縦横余長分（Ｄａ−Ｅａ、Ｄｂ−Ｅｂ）に相当する深さの切り込み１６ａが入れられており、仕切り板１７の余長分をその切り込み１６ａに差し込むことによって、凹状開口部１６を仕切り板１７で閉鎖固定できるようになっている。また、仕切り板１７を凹状開口部１６の切り込み１６ａから引き出すことにより、仕切り板１７を自在に取り外せるようにもなっている。
【００２０】
なお、底面プレート１２の下面に形成された多数のフィン１１の一部には、この本体部２をＣＡＴＶ契約者宅の壁面等に固定するための二つの固定部１８（但し、一方の固定部は第一立壁１３の陰に隠れて見えない）が形成されている。また、外側の二つのフィン１１及び第二立壁１４と第三立壁１５には、蓋部３を固定するためのネジ穴（前記のネジ４〜７に対応するネジ穴１９〜２５：但し、その一部は隠れて見えない）が形成されている。
【００２１】
第一立壁１３、第二立壁１４、第三立壁１５及び仕切り板１７で囲まれた空間は、増幅部基板の収容室（以下、増幅部収容室）２６であり、この増幅部収容室２６には、基板固定用突起２７〜３２や信号接栓取り付け穴３３〜４３などが設けられている。
【００２２】
一方、底面プレート１２の増幅部収容室２６以外の部分は、電源基板の収容室（以下、電源部収容室）４４であり、この電源部収容室４４には、基板固定用突起４５〜４８や電源ケーブル抜け止め用のＵ字溝状突起４９などが設けられている。
【００２３】
図３は、仕切り板１７を取り付けた状態の本体部２の外観図である。上記のとおり、仕切り板１７は、矩形状金属板の長手側一辺を折り曲げて断面をＬ字状にするともに、その金属板に所要の穴開け加工を施して、たとえば、多数の直線状の空気穴１７ａや、所要数の電源配線用穴１７ｂ〜１７ｅを形成したものであり、それらの空気穴１７ａや電源配線用穴１７ｂ〜１７ｅの位置及び数などは、このＣＡＴＶ用増幅器１に収容される増幅部及び電源部の構成から一義的に決定されたものである。つまり、図示の仕切り板１７は、このＣＡＴＶ用増幅器１に収容される増幅部や電源部のために専用に設計されたものである。
【００２４】
図４（ａ）は、仕切り板１７の電源配線用穴１７ｂ〜１７ｅの使用状態図である。この図において、電源配線用穴１７ｂ〜１７ｅのそれぞれには、ノイズ抑制素子５０が取り付けられている。これらのノイズ抑制素子５０は、たとえば、貫通コンデンサや貫通ＥＭＩ（Ｅｌｅｃｔｒｏ  Ｍａｇｎｅｔｉｃ  Ｉｎｔｅｒｆｅｒｅｎｃｅ）フィルタなどである。電源部収容室４４から増幅部収容室２６への電源供給を行う際は、電源部収容室４４からの電源線をノイズ抑制素子５０の一方側端子５０ａに接続し、増幅部収容室２６への電源線をノイズ抑制素子５０の他方側端子５０ｂに接続すればよい。電源電圧に重畳された高周波ノイズやスパイク性ノイズは、ノイズ抑制素子５０を通る際に、そのノイズ抑制素子５０のボディを介して、金属性の仕切り板１７から本体部２へと逃がされ、増幅部収容室２６に入り込まない。
【００２５】
このような構成の本体部２及び仕切り板１７を含むＣＡＴＶ用増幅器１によれば、以下の効果が得られる。
まず、増幅部収容室２６と電源部収容室４４とを有して一体成形された本体部２に、蓋部３を被せることにより、それらの二室（増幅部収容室２６と電源部収容室４４）の間を電磁的に遮蔽しつつ、各室を閉鎖できる。したがって、電源部収容室４４から増幅部収容室２６への雑音の飛び込みや、外部からの増幅部収容室２６への雑音の飛び込みを防止し、また、電源部収容室４４や増幅部収容室２６から外部への不要な電磁輻射を防止することができる。
【００２６】
また、二室（増幅部収容室２６と電源部収容室４４）の仕切り板１７に形成された電源配線用穴１７ｂ〜１７ｅに貫通コンデンサや貫通ＥＭＩフィルタなどのノイズ抑制素子５０を取り付け、そのノイズ抑制素子５０を通して雑音を除去した電源電圧を増幅部収容室２６内の増幅部基板に供給することにより、電源ライン経由の増幅部収容室２６への雑音侵入も阻止することができる。
【００２７】
加えて、仕切り板１７を別途に作成すると共に、この仕切り板１７を、本体部２に形成した凹状開口部１６に着脱自在に取り付けるようにしたから、たとえば、電源部収容室４４に収容する電源部や、増幅部収容室２６に収容する増幅部の都合により、電源配線の引き回し経路の変更又は電源配線の数の増減などがあった場合には、本体部２の形状に一切手を加えることなく、仕切り板１７だけを別途に作成し直せばよいので、冒頭で説明した従来技術の問題点（本体部用金型の再設計とその金型を用いた本体部の一体成型のやり直し）をまったく招かず、大幅なコスト削減を図ることができる。
【００２８】
図４（ｂ）、（ｃ）は、別途に製作された仕切り板１７の二つの例を示す平面図である。これらの図において、（ｂ）は、中央部に電源配線用穴１７ｂ〜１７ｅをまとめ、その両側の空き部分に空気穴１０ａを設けた例である。また、（ｃ）は、左側に電源配線用穴１７ｂ〜１７ｅをまとめ、その他の空き部分に空気穴１０ａを設けた例である。いずれの例も、電源部収容室４４に収容する電源部や、増幅部収容室２６に収容する増幅部の都合に合わせて、電源配線用穴１７ｂ〜１７ｅと空気穴１０ａの位置を適正化したものである。
【００２９】
なお、これらの例では、電源配線用穴１７ｂ〜１７ｅの数を変更していないが、言うまでもなく、電源部収容室４４に収容する電源部や、増幅部収容室２６に収容する増幅部の都合に合わせて、それらの電源配線用穴１７ｂ〜１７ｅの数を増やしたり減らしたりしてもよい。
【００３０】
以上のとおりであるから、本実施形態では、一体成型された電源部収容室４４と増幅部収容室２６との仕切り板１７を独立した別部品とすることにより、コストアップを招くことなく、仕切り板１７の構造変更を容易にしたＣＡＴＶ用増幅器１を提供することができる。
【００３１】
なお、本発明は、以上の実施形態に限定されることなく、その思想の範囲内で様々な発展例や変形例を包含することはもちろんであり、たとえば、上記の実施形態では、仕切り板１７を、本体部２の凹状開口部１６の切り込み１６ａに差し込んで着脱可能に取り付けるようにしているが、これに限定されない。ネジ等で固定してもよく、あるいは、その他の着脱可能な固定機構で取り付けてもよい。
【００３２】
また、仕切り板１７は、前記実施形態のように金属板で形成してもよいが、要は、電磁遮蔽効果を有するものであればよく、たとえば、プラスチック等の非金属板に金属膜や金属メッシュを貼り付けてたものであってもよいし、あるいは、金属粉を混入した塗料を塗布したものであってもよい。
【００３３】
図５は、他の実施形態を示す図である。この図において、本体部５１は、前出のＣＡＴＶ用増幅器１の本体部２に代わるものであり、本体部２と同様にアルミ合金等で一体成型されたものである。この本体部５１は、下面に多数の放熱用のフィン５２を等間隔に並べた矩形状の底面プレート５３と、その底面プレート５３の一辺に立設された第一立壁５４と、この第一立壁５４に連続すると共に、その底面プレート５３の上記一辺と交差する二つの辺の一部（図では概ね２／３程度）に立設された第二立壁５５及び第三立壁５６とを一体成形したものである。
【００３４】
図５（ａ）中の矩形状破線は、第二立壁５５と第三立壁５６との間に位置し、且つ、第一立壁５４に対向する“開口面”を表しており、この開口面は、電磁遮蔽効果を有する後述の仕切り板５７によって着脱可能に閉鎖される。
【００３５】
これらの第一立壁５４、第二立壁５５及び第三立壁５６並びに後述の仕切り板５７で囲まれた空間は、増幅部基板の収容室（以下、増幅部収容室）５８である。この増幅部収容室５８の底面には、任意数の基板固定用突起５９〜７４や仕切板固定用ネジ穴７５〜７８（図ではその一部を示している）が設けられているとともに、増幅部収容室５８の一側面を構成する第一立壁５４には、任意数の信号接栓取り付け穴７９〜９０などが設けられている。また、増幅部収容室５８の他の二側面を構成する第二立壁５５と第三立壁５６の上端縁には、仕切り板５７を係止するための、たとえば、小幅切り欠き状の係止部９１〜９６が形成されている。
【００３６】
なお、この係止部９１〜９６は、図示の例では第二立壁５５に３個（係止部９１〜９３）形成されているとともに、第三立壁５６の対向位置にも同数（係止部９４〜９６）形成されているが、これは、仕切り板１７の取り付け位置を３箇所（後述の“最大容積位置”、“中間容積位置”、“最小容積位置”参照）のいずれかにするためのベストモードの例である。言うまでもなく、仕切り板１７の取り付け位置を変更しないのであれば、上記の「係止部」は、二立壁５５に１個（たとえば、係止部９１）形成するとともに、第三立壁５６の対向位置にも同じく１個（たとえば、係止部９４）形成しておけばよい。また、仕切り板１７の取り付け位置の変更要求数によっては、上記の“３個”を超える数であっても当然構わない。
【００３７】
一方、底面プレート５３の増幅部収容室５８以外の部分（仕切り板５７で仕切られていない部分）は、電源基板の収容室（以下、電源部収容室）９７であり、この電源部収容室９７には、いくつかの基板取り付け穴９８や電源ケーブル抜け止め用のＵ字溝状突起９９などが設けられている。
【００３８】
図５（ｂ）に示す仕切り板５７は、矩形状金属板の両長辺と両短辺とをそれぞれ逆向きに折り曲げて鍔部５７ａ、５７ｂ、５７ｃ、５７ｄを形成するともに、その金属板の鍔部５７ａ、５７ｂ、５７ｃ、５７ｄ以外の部分に所要の穴開け加工を施して、たとえば、多数の楕円状開口の空気穴５７ｅや所要数の電源配線用穴５７ｆ、５７ｇを形成したものである。
【００３９】
鍔部５７ａ、５７ｂ、５７ｃ、５７ｄには、それぞれネジ穴５７ｈ、５７ｉ、５７ｊ、５７ｋ、５７ｍ、５７ｎ、５７ｐが形成されている。これらのネジ穴５７ｈ、５７ｉ、５７ｊ、５７ｋ、５７ｍ、５７ｎ、５７ｐは、仕切り板５７を本体部５１に取り付ける際に用いられる。たとえば、同図（ａ）の破線の位置に取り付ける場合には、仕切り板５７の両短辺の鍔部５７ａ、５７ｂのネジ穴５７ｈ、５７ｉと、第二立壁５５及び第三立壁５６の電源部収容室９７に近い位置の係止部９１、９４とを位置合わせしてネジ止めしたうえ、仕切り板５７の下長辺の鍔部５７ｄのネジ穴５７ｍ、５７ｎ、５７ｐと、増幅部収容室５８の底面に設けられている基板固定用突起５９〜７４のうちの適切なものとを位置合わせしてネジ止めすればよい。
【００４０】
このように、この実施形態においても、本体部５１が増幅部収容室５８と電源部収容室９７とを有して一体成形されているとともに、それらの二室を仕切り板５７によって区画することができるので、その本体部５１に蓋部３を被せることにより、それらの二室（増幅部収容室５８と電源部収容室９７）の間を電磁的に遮蔽しつつ、各室を閉鎖できる。したがって、電源部収容室９７から増幅部収容室５８への雑音の飛び込みや、外部からの増幅部収容室５８への雑音の飛び込みを防止し、また、電源部収容室９７や増幅部収容室５８から外部への不要な電磁輻射を防止することができる。
【００４１】
また、二室（増幅部収容室５８と電源部収容室９７）の仕切り板５７に形成された電源配線用穴５７ｇに貫通コンデンサや貫通ＥＭＩフィルタなどのノイズ抑制素子を取り付け、そのノイズ抑制素子を通して雑音を除去した電源電圧を増幅部収容室５８内の増幅部基板に供給することにより、電源ライン経由の増幅部収容室５８への雑音侵入も阻止することができる。
【００４２】
加えて、仕切り板５７を別途に作成すると共に、この仕切り板５７を、本体部５１にネジを用いて着脱自在に取り付けるようにしたから、たとえば、電源部収容室９７に収容する電源部や、増幅部収容室５８に収容する増幅部の都合により、電源配線の引き回し経路の変更又は電源配線の数の増減などがあった場合には、本体部５１の形状に一切手を加えることなく、仕切り板５７だけを別途に作成し直せばよいので、冒頭で説明した従来技術の問題点（本体部用金型の再設計とその金型を用いた本体部の一体成型のやり直し）をまったく招かず、大幅なコスト削減を図ることができる。
【００４３】
以上の効果は、前出の実施形態と同様のものであるが、本実施形態においては、さらに、本体部５１への仕切り板５７の取付位置を複数段階（図示の例では、最大容積位置、中間容積位置及び最小容積位置の３段階）に変更できるという特有の効果が得られる。
【００４４】
すなわち、図５の例では、第二立壁５５及び第三立壁５６の電源部収容室９７に近い位置の係止部９１、９４を使用して仕切り板５７をネジ止めしている。このような仕切り板５７の取り付け位置は、増幅部収容室５８の容積を最大（最大容積位置）にできる点で有益であるが、増幅部収容室５８の所要容積によっては、第二立壁５５及び第三立壁５６の電源部収容室９７に最も遠い位置（最小容積位置）の係止部９３、９６を使用して仕切り板５７をネジ止めしたり、又は、中間位置（中間容積位置）の係止部９２、９５を使用して仕切り板５７をネジ止めしたりすればよく、設計上の所要容積に柔軟に対応できるという特有の効果が得られる。
【００４５】
なお、最大容積位置以外（中間容積位置や最小容積位置）とした場合、増幅部収容室５８の底面に設けられている基板固定用突起５９〜７４の位置によっては、それらの基板固定用突起５９〜７４と仕切り板５７が干渉する可能性がある。この干渉を防止するためには、仕切り板５１の下長辺の鍔部５７ｄの所要部分（基板固定用突起５９〜７４と干渉するおそれがある部分）を一部切り欠くなどして干渉防止部５７ｑ、５７ｒ、５７ｓを形成しておけばよい。
【図面の簡単な説明】
【００４６】
【図１】実施形態におけるＣＡＴＶ用増幅器の外観図である。
【図２】本体部２及び仕切り板１７の外観図である。
【図３】仕切り板１７を取り付けた状態の本体部２の外観図である。
【図４】仕切り板１７の電源配線用穴１７ｂ〜１７ｅの使用状態図及び別途に製作された仕切り板１７の二つの例を示す平面図である。
【図５】他の実施形態における本体部５１及び仕切り板５７の外観図である。
【図６】特許文献１に記載されているＣＡＴＶ用増幅器の筐体外観図である。
【符号の説明】
【００４７】
１  ＣＡＴＶ用増幅器
２  本体部
３  蓋部
１２  底面プレート
１３  第一立壁
１４  第二立壁
１５  第三立壁
１６  凹状開口部
１７  仕切り板
１７ａ  空気穴
１７ｂ  電源配線用穴
１７ｃ  電源配線用穴
１７ｄ  電源配線用穴
１７ｅ  電源配線用穴
５１  本体部
５３  底面プレート
５４  第一立壁
５５  第二立壁
５６  第三立壁
５７  仕切り板
５７ｅ  空気穴
５７ｆ  電源配線用穴
５７ｇ  電源配線用穴
【図１】
2006147981.tif 000003
【図２】
2006147981.tif 000004
【図３】
2006147981.tif 000005
【図４】
2006147981.tif 000006
【図５】
2006147981.tif 000007
【図６】
2006147981.tif 000008